(57)【要約】      （修正有）【課題】テコの応力を十分に活用して自転車で坂を上るときの脚力の負担を軽減するギアクランクを提供する。【解決の手段】自転車のギヤクランク５軸側の上部にテコの応用に必要な作用点と支点を極力狭くした部品と、２本の丸鋼鉄２と固定金具１で作り、取り付ける。さらに、力点となるギヤクランク補助鋼鉄３も新設して、作用点と支点の丸鋼鉄２と固定金具１で協調してギヤクランク５を包み込むように取り付ける。ギヤクランク補助鋼鉄３は少し長くなるが、テコの応用には好都合である。ギヤクランク軸側に取り付けた固定金具１の下部とギヤクランク補助鋼鉄３のペダル側の下部を長ボルト６とナット７でバランスよく締め付けて、テコの応用を最大に活用し、上り坂の脚力の負担を軽減した。【選択図】図３
0003142289.tif 000002
【実用新案登録請求の範囲】
【請求項１】
従来の自転車のギヤクランク軸側の作用点と支点の間隔が構造上広すぎてテコの応用が充分に活用されていないため，坂を上るとき脚力の負担が大きい。ギヤクランク軸側の上部にテコの応用に必要な作用点と支点の間隔を極力狭くした２本の丸鉄筋と固定金具を取り付け、力点となるギヤクランク補助鋼鉄も新設してギヤクランクを作用点と支点となる２本の丸鉄筋と固定金具と力点となるギヤクランク補助鋼鉄で協調して、包み込むように取り付けて、テコの応用を再度利用し、充分に発揮できる特徴のあるギヤクランク。
【考案の詳細な説明】
【技術分野】
【０００１】  本考案は、自転車のギヤクランク軸側の作用点と支点のテコの応用に関するものである。
【背景技術】
【０００２】  自転車のギヤクランクの構造上、作用点と支点の間隔が広すぎてテコの応用が充分に活用されていないため、上り坂を走るとき、脚力に負担がかかり過ぎていた。
【考案の開示】
【考案が解決しようとする課題】
【０００３】  自転車のギヤクランク軸側のテコの応用に必要な作用点と支点の間隔が構造上広すぎて、テコの応用が充分に活用されていない。ギヤクランク側の上部にテコの応用に必要な作用点と支点の間隔を極力狭くした部品を新たに設けてテコの応用を最大に活用する。
【課題を解決するための手段】
【０００４】  本考案は、自転車のギヤクランク軸側の上部にテコの応用に必要な作用点と支点の間隔を極力狭くした部品を２本の丸鉄筋と固定金具で作り、取り付ける。力点となるギヤクランク補助鋼鉄も新設して、ギヤクランク補助鋼鉄で、ギヤクランクを包み込むように取り付ける。ギヤクランク補助鋼鉄は少し長くなるが、テコの応用には好都合である。ギヤクランク軸側に取り付けた固定金具の下部とギヤクランク補助鋼鉄のペダル側の下部を長ボルトとナットでバランスよく締め付けて、テコの応用を最大に活用した。
【考案の効果】
【０００５】  自転車で上り坂を走るとき脚力の負担が軽減するため、自転車と運転者の振れも少なく、安全である。変速自転車や電動自転車に活用すれば効果はさらに大きい。自転車の愛好家が増えると地球温暖化防止に少しは貢献できる。
【考案を実施するための最良の形態】
【０００６】  従来の自転車のギヤクランク軸側のテコの応用に必要な作用点と支点の間隔が構造上広すぎて、テコの応用が充分に活用されていない。問題を克服するために、ギヤクランク軸側の上部に、テコに必要な作用点と支点の間隔を極力狭くした丸鉄筋２本を固定する固定金具を新設して、力点となるギヤクランク補助鋼鉄の新たに設けて、固定金具と協調して、ギヤクランクを包み込むように取り付ける。ギヤクランク軸側に取り付けた固定金具の下部とギヤクランク補助鋼鉄のペダル側の下部を長ボトルとナットでバランスよく締め付けて、テコの応用を最大に活用した。自転車で上り坂を走るときの脚力の負担が軽減した。
【図面の簡単な説明】
【０００７】
【図１】テコの応用に必要な作用点と支点を固定する固定金具の立体図である。
【図２】作用点と支点を固定金具とギヤクランク補助鋼鉄で固定した平面図である。
【図３】固定金具とギヤクランク補助鋼鉄でギヤクランクを包み込んだ正面図である。
【符号の説明】
【０００８】        １  テコの応用に必要な作用点と支点の丸鉄筋を固定する固定金具
２  作用点と支点となる丸鉄筋
３  力点とギヤクランク補助鋼鉄
４  ペダル
５  ギヤクランク
６  長ボトル
７  ナット
【図１】
0003142289.tif 000003
【図２】
0003142289.tif 000004
【図３】
0003142289.tif 000005
【手続補正書】
【提出日】平成20年2月29日(2008.2.29)
【手続補正１】
【補正対象書類名】実用新案登録請求の範囲
【補正対象項目名】全文
【補正方法】変更
【補正の内容】
【実用新案登録請求の範囲】
【請求項１】
自転車のギヤクランク軸側の上部にテコの応用に必要な作用点と支点の間隔を極力狭くした固定金具と２本の丸鋼鉄と力点となるギヤクランク補助鋼鉄の３部品を新設してギヤクランクを包み込むように取り付けさらにギヤクランク軸側の下部とペダルの下部を長ボルトとナットでバランスよく取り付けてテコの応用を充分に活用して自転車で坂を上るときの脚力の負担を軽減したギヤクランク。
【手続補正２】
【補正対象書類名】明細書
【補正対象項目名】全文
【補正方法】変更
【補正の内容】
【考案の詳細な説明】
【技術分野】
【０００１】  本考案は自転車のギヤクランクの構造上、作用点と支点の間隔が広すぎてテコの応用が充分に活用されていため自転車で坂を上るとき脚力に負担がかかり過ぎるのでギヤクランクの上部に作用点と支点の間隔を極力狭くした固定金具と２本の丸鋼鉄と力点となるギヤクランク補助鋼鉄の３部品を新設、ギヤクランク補助鋼鉄は少し長くなるがテコの応用には好都合で新設の３部品で共同してギヤクランクを包み込むように取り付けギヤクランクの軸側の下部とペダル側の下部を長ボルトとナットでバランよく取り付けてテコの応用を充分に活用して自転車で坂を上るときの脚力の負担を軽減するギヤクランク。
【背景技術】
【０００２】  自転車のギヤクランクは構造上、作用点と支点の間隔が広すぎてテコの応用が充分に活用されていないから、自転車で坂を上るとき脚力に負担がかかり過ぎているギヤクランク軸側の上部に極力間隔を狭くした、作用点と支点を固定金具と２本の丸鋼鉄と力点となるギヤクランク補助鋼鉄の３部品を新設、ギヤクランク補助鋼鉄は少し長くなるがテコの応用には好都合で新設の３部品が協力してギヤクランクを包み込むように取り付け、さらにギヤクランク軸側の下部とペダル下部を長ボルトとナットでバランスよく取り付けて、テコの応用を充分に活用して自転車で坂を上るときの脚力の負担を軽減するギヤクランク。
【考案の開示】
【考案が解決しようとする課題】
【０００３】  自転車のギヤクランクは構造上、作用点と支点の間隔が広すぎてテコの応用が充分に活用されていないから、自転車で坂を上るとき脚力に負担がかかり過ぎている、脚力の負担を軽減するために、テコの応用を充分に活用するにはギヤクランク軸側上部に、極力間隔を狭くした作用点と支点を固定金具と２本の丸鋼鉄と力点となるギヤクランク補助鋼鉄の３部品を新設して、ギヤクランク補助鋼鉄は少し長くなるがテコの応用には好都合で、新設の３部品が協力してギヤクランクを包み込むように取り付け、さらにギヤクランク軸側下部とペダル側の下部を長ボルトとナットでバランスよく取り付けて、テコの応用を充分に活用して自転車で坂を上るときの脚力の負担を軽減するギヤクランク。
【課題を解決するための手段】
【０００４】  自転車のギヤクランクは構造上、作用点と支点の間隔が広すぎてテコの応用が充分に活用されていない、充分に活用するために極力間隔を狭くした作用点と支点を固定金具と２本の丸鋼鉄と力点となるギヤクランク補助鋼鉄の３部品を新設、ギヤクランク補助鋼鉄は少し長くなるがテコの応用には好都合で新設の３部品が協力して、ギヤクランクを包み込むように取り付けて、さらにギヤクランク軸側の下部とペダル側の下部を長ボルトとナットでバランスよく取り付けてテコの応用を充分に活用して、自転車で坂を上るときの脚力の負担を軽減するギヤクランク。
【考案の効果】
【０００５】  自転車で坂を上るとき脚力の負担が軽減されるため、自転車と運転手の振れも少なく安全性も改善される、変速自転車や電動自転車にも活用すれば効果はさらに大きくなり、自転車の愛好家が増えると、地球温暖化防止に少しは貢献できる
【考案を実施するための最良の形態】
【０００６】  自転車のギヤクランクは構造上、作用点と支点の間隔が広すぎてテコの応用が充分に活用されていないから自転車で坂を上るとき脚力に負担がかかり過ぎている、問題を克服するために間隔を極力狭くした作用点と支点を固定金具と２本の丸鋼鉄と力点となるギヤクランク補助鋼鉄の３部品を新設、ギヤクランク補助鋼鉄は少し長くなるがテコの応用には好都合で、新設の３部品が協力してギヤクランクを包み込むように取り付けてさらにギヤクランク軸側の下部とペダル側の下部を長ボルトとナットでバランスよく取り付けてテコの応用を充分に活用して自転車で坂を上るときの脚力の負担を軽減するギヤクランク。
【図面の簡単な説明】
【０００７】
【図１】作用点と支点の丸鋼鉄を固定する、固定金具の斜視図。
【図２】ギヤクランクに取り付けた固定金具と丸鋼鉄とギヤクランク補助鋼鉄の平面図
【図３】ギヤクランクに取り付けた固定金具と丸鋼鉄とギヤクランク補助鋼鉄の側面図
【符号の説明】
【０００８】        １    テコ応用に必要な作用点と支点の丸鋼鉄を固定する固定金具。        ２    作用点と支点となる丸鋼鉄。        ３    力点となるギヤクランク補助鋼鉄。        ４    ペダル。        ５    ギヤクランク。        ６    長ボルト。        ７    ナット。
【手続補正３】
【補正対象書類名】図面
【補正対象項目名】全図
【補正方法】変更
【補正の内容】
【図１】
0003142289.tif 000006
【図２】
0003142289.tif 000007
【図３】
0003142289.tif 000008